(57)【要約】【課題】偶然性の提供により、実際に旅行をしているような醍醐味を味わうことができる仮想旅行システムを提供する。【解決手段】通信回線を介して利用者に対して仮想旅行を体験させる仮想旅行システムは、利用者の端末３０と実際に旅行する旅行代理人の端末２０が通信回線を介して接続される仮想旅行サイトを設け、旅行中の行動全般について、旅行代理人の端末２０から次にとるべき次動作内容の選択肢を前記仮想旅行サイトに設定し、仮想旅行サイト上で前記次動作内容の選択肢に対する利用者の端末３０からの投票を行い、仮想旅行サイトが、次動作内容の選択肢のうち、最も得票数の多い動作内容を決定して旅行代理人の端末２０に指示する。【選択図】    図１
2004213133.tif 000002
【特許請求の範囲】
【請求項１】
通信回線を介して利用者に対して仮想旅行を体験させる仮想旅行システムであって、
前記利用者の端末と実際に旅行する旅行代理人の端末が通信回線を介して接続される仮想旅行サイトを設け、
旅行中の行動全般について、前記旅行代理人の端末から次にとるべき次動作内容の選択肢を前記仮想旅行サイトに設定し、
前記仮想旅行サイト上で前記次動作内容の選択肢に対する前記利用者の端末からの投票を行い、
前記仮想旅行サイトが、前記次動作内容の選択肢のうち、最も得票数の多い動作内容を決定して前記旅行代理人の端末に指示することを特徴とする仮想旅行システム。
【請求項２】
前記仮想旅行サイトは、
前記旅行代理人の端末から送られる前記旅行代理人がいる場所の画像や説明、及び旅行先で取得した情報を含む旅行情報を登録し、サイト上に前記利用者端末から閲覧可能に公開することを特徴とする請求項１に記載の仮想旅行システム。
【請求項３】
前記仮想旅行サイトは、
前記旅行代理人端末から送られる前記旅行代理人が旅行先で出会った人に関し、その人への連絡先情報を含む各種の情報を旅行情報として登録してサイト上に公開し、
前記利用者は前記利用者端末を介して前記人に関する旅行情報を閲覧し、必要に応じて前記連絡先情報に基づいて特定の人と通信することを可能とすることを特徴とする請求項１又は請求項２に記載の仮想旅行システム。
【請求項４】
前記旅行代理人が旅行先で出会った人に関する旅行情報として、メールアドレス及び利用者に対するコメントを含む情報を登録して公開することを特徴とする請求項３に記載の仮想旅行システム。
【請求項５】
前記仮想旅行サイトは、
前記旅行代理人端末から送られる前記旅行情報を、前記利用者端末から旅行の何れの時点における旅行情報をも任意に参照できるように履歴として蓄積することを特徴とする請求項２から請求項４の何れか１項に記載の仮想旅行システム。
【請求項６】
通信回線を介して利用者に対して仮想旅行を体験させる仮想旅行サイトのサーバであって、
前記利用者の端末と実際に旅行する旅行代理人の端末が通信回線を介して接続され、
旅行中の行動全般について、前記旅行代理人の端末から次にとるべき次動作内容の選択肢を前記仮想旅行サイト上に設定する手段と、
前記仮想旅行サイト上で前記次動作内容の選択肢に対する前記利用者の端末からの投票を行う手段と、
前記次動作内容の選択肢のうち、最も得票数の多い動作内容を決定して前記旅行代理人の端末に指示する手段とを備えることを特徴とする仮想旅行サイトのサーバ。
【請求項７】
前記旅行代理人の端末から送られる前記旅行代理人がいる場所の画像や説明、及び旅行先で取得した情報を含む旅行情報を登録し、前記仮想旅行サイト上に前記利用者端末から閲覧可能に公開する手段を備えることを特徴とする請求項６に記載の仮想旅行サイトのサーバ。
【請求項８】
前記旅行代理人端末から送られる前記旅行代理人が旅行先で出会った人に関し、その人への連絡先情報を含む各種の情報を旅行情報として登録し、前記利用者が前記人に関する旅行情報を閲覧し、必要に応じて前記連絡先情報に基づいて特定の人と通信することが可能なように前記仮想旅行サイト上に公開することを特徴とする請求項６又は請求項７に記載の仮想旅行サイトのサーバ。
【請求項９】
前記旅行代理人が旅行先で出会った人に関する旅行情報として、メールアドレス及び利用者に対するコメントを含む情報を登録して公開することを特徴とする請求項８に記載の仮想旅行サイトのサーバ。
【請求項１０】
前記旅行代理人端末から送られる前記旅行情報を、前記利用者端末から旅行の何れの時点における旅行情報をも任意に参照できるように履歴として蓄積する手段を備えることを特徴とする請求項７から請求項９の何れか１項に記載の仮想旅行サイトのサーバ。
【請求項１１】
サーバ上で実行され、通信回線を介して利用者に対して仮想旅行を体験させる仮想旅行プログラムであって、
前記利用者の端末と実際に旅行する旅行代理人の端末が通信回線を介して接続される仮想旅行サイトを設け、
旅行中の行動全般について、前記旅行代理人の端末から次にとるべき次動作内容の選択肢を前記仮想旅行サイトに設定する機能と、
前記仮想旅行サイト上で前記次動作内容の選択肢に対する前記利用者の端末からの投票を行う機能と、
前記仮想旅行サイトが、前記次動作内容の選択肢のうち、最も得票数の多い動作内容を決定して前記旅行代理人の端末に指示する機能とを実行することを特徴とする仮想旅行プログラム。
【請求項１２】
前記旅行代理人の端末から送られる前記旅行代理人がいる場所の画像や説明、及び旅行先で取得した情報を含む旅行情報を登録し、サイト上に前記利用者端末から閲覧可能に公開する機能を実行することを特徴とする請求項１１に記載の仮想旅行プログラム。
【請求項１３】
前記旅行代理人端末から送られる前記旅行代理人が旅行先で出会った人に関し、その人への連絡先情報を含む各種の情報を旅行情報として登録し、前記利用者が前記人に関する旅行情報を閲覧し、必要に応じて前記連絡先情報に基づいて特定の人と通信することが可能なように前記仮想旅行サイト上に公開する機能を実行することを特徴とする請求項１１又は請求項１２に記載の仮想旅行プログラム。
【請求項１４】
前記旅行代理人が旅行先で出会った人に関する旅行情報として、メールアドレス及び利用者に対するコメントを含む情報を登録して公開する機能を実行することを特徴とする請求項１３に記載の仮想旅行プログラム。
【請求項１５】
前記旅行代理人端末から送られる前記旅行情報を、前記利用者端末から旅行の何れの時点における旅行情報をも任意に参照できるように履歴として蓄積する機能を実行することを特徴とする請求項１２から請求項１４の何れか１項に記載の仮想旅行プログラム。
【発明の詳細な説明】
【０００１】
【発明の属する技術分野】
本発明は、利用者が端末の画面上で旅行を体験できる仮想旅行システムに関し、特に、偶然性の提供により実際に旅行をしているような醍醐味を味わうことができる仮想旅行システムに関する。
【０００２】
【従来の技術】
仮想旅行システムは、従来は次に述べるような方式で構築・運営されているのが現状である。
【０００３】
第１の方式は、予め世界中の様々な地点の情報・画像を記憶媒体に保存しておき、利用者が指定された条件で該当する情報・画像を閲覧する方式である（例えば、特開２００１−３４４３３３号公報参照）。
【０００４】
第２の方式は、世界中の様々な地点にカメラを設置し、指定された条件でリアルタイム動画を閲覧する方式である（例えば、特開２００２−２２３４３２号公報参照）。
【０００５】
また、上記第１及び第２の方式を混在させた方式も考えられている。
【０００６】
【特許文献１】
特開２００１−３４４３３３号公報（第４頁、図１）
【特許文献２】
特開２００２−２２３４３２号公報（第４頁、図１）
【０００７】
【発明が解決しようとする課題】
上述したような従来提供されている仮想旅行システムでは、何れの方式においても旅行先の様々な画像や映像を閲覧することにより、ある程度の現実感が得られるものの、次に何が起こるのか予想がつかないといった偶然性の要素及び旅行先で出会う人々と直接交流することで得られる現実感の点で不満が残り、娯楽性に欠けるという面があった。
【０００８】
本発明の目的は、従来の仮想旅行システムでは実現し得なかった偶然性の提供により、実際に旅行をしているような醍醐味を味わうことができる仮想旅行システムを提供することにある。
【０００９】
本発明の他の目的は、旅行先で出会った人々と直接交流することが可能となり、それにより実際の旅行と同様の醍醐味を味わうことが可能となる仮想旅行システムを提供することにある。
【００１０】
【課題を解決するための手段】
上記目的を達成する本発明は、通信回線を介して利用者に対して仮想旅行を体験させる仮想旅行システムであって、前記利用者の端末と実際に旅行する旅行代理人の端末が通信回線を介して接続される仮想旅行サイトを設け、旅行中の行動全般について、前記旅行代理人の端末から次にとるべき次動作内容の選択肢を前記仮想旅行サイトに設定し、前記仮想旅行サイト上で前記次動作内容の選択肢に対する前記利用者の端末からの投票を行い、前記仮想旅行サイトが、前記次動作内容の選択肢のうち、最も得票数の多い動作内容を決定して前記旅行代理人の端末に指示することを特徴とする。
【００１１】
請求項２の本発明の仮想旅行システムは、前記仮想旅行サイトは、前記旅行代理人の端末から送られる前記旅行代理人がいる場所の画像や説明、及び旅行先で取得した情報を含む旅行情報を登録し、サイト上に前記利用者端末から閲覧可能に公開することを特徴とする。
【００１２】
請求項３の本発明の仮想旅行システムは、前記仮想旅行サイトは、前記旅行代理人端末から送られる前記旅行代理人が旅行先で出会った人に関し、その人への連絡先情報を含む各種の情報を旅行情報として登録してサイト上に公開し、前記利用者は前記利用者端末を介して前記人に関する旅行情報を閲覧し、必要に応じて前記連絡先情報に基づいて特定の人と通信すること可能とすることを特徴とする。
【００１３】
請求項４の本発明の仮想旅行システムは、前記旅行代理人が旅行先で出会った人に関する旅行情報として、メールアドレス及び利用者に対するコメントを含む情報を登録して公開することを特徴とする。
【００１４】
請求項５の本発明の仮想旅行システムは、前記仮想旅行サイトは、前記旅行代理人端末から送られる前記旅行情報を、前記利用者端末から旅行の何れの時点における旅行情報をも任意に参照できるように履歴として蓄積することを特徴とする。
【００１５】
請求項６の本発明は、通信回線を介して利用者に対して仮想旅行を体験させる仮想旅行サイトのサーバであって、前記利用者の端末と実際に旅行する旅行代理人の端末が通信回線を介して接続され、旅行中の行動全般について、前記旅行代理人の端末から次にとるべき次動作内容の選択肢を前記仮想旅行サイト上に設定する手段と、前記仮想旅行サイト上で前記次動作内容の選択肢に対する前記利用者の端末からの投票を行う手段と、前記次動作内容の選択肢のうち、最も得票数の多い動作内容を決定して前記旅行代理人の端末に指示する手段とを備えることを特徴とする。
【００１６】
請求項７の本発明の仮想旅行サイトのサーバは、前記旅行代理人の端末から送られる前記旅行代理人がいる場所の画像や説明、及び旅行先で取得した情報を含む旅行情報を登録し、前記仮想旅行サイト上に前記利用者端末から閲覧可能に公開する手段を備えることを特徴とする。
【００１７】
請求項８の本発明の仮想旅行サイトのサーバは、前記旅行代理人端末から送られる前記旅行代理人が旅行先で出会った人に関し、その人への連絡先情報を含む各種の情報を旅行情報として登録し、前記利用者が前記人に関する旅行情報を閲覧し、必要に応じて前記連絡先情報に基づいて特定の人と通信することが可能なように前記仮想旅行サイト上に公開することを特徴とする。
【００１８】
請求項９の本発明の仮想旅行サイトのサーバは、前記旅行代理人が旅行先で出会った人に関する旅行情報として、メールアドレス及び利用者に対するコメントを含む情報を登録して公開することを特徴とする。
【００１９】
請求項１０の本発明の仮想旅行サイトのサーバは、前記旅行代理人端末から送られる前記旅行情報を、前記利用者端末から旅行の何れの時点における旅行情報をも任意に参照できるように履歴として蓄積する手段を備えることを特徴とする。
【００２０】
請求項１１の本発明は、サーバ上で実行され、通信回線を介して利用者に対して仮想旅行を体験させる仮想旅行プログラムであって、前記利用者の端末と実際に旅行する旅行代理人の端末が通信回線を介して接続される仮想旅行サイトを設け、旅行中の行動全般について、前記旅行代理人の端末から次にとるべき次動作内容の選択肢を前記仮想旅行サイトに設定する機能と、前記仮想旅行サイト上で前記次動作内容の選択肢に対する前記利用者の端末からの投票を行う機能と、前記仮想旅行サイトが、前記次動作内容の選択肢のうち、最も得票数の多い動作内容を決定して前記旅行代理人の端末に指示する機能とを実行することを特徴とする。
【００２１】
請求項１２の本発明の仮想旅行プログラムは、前記旅行代理人の端末から送られる前記旅行代理人がいる場所の画像や説明、及び旅行先で取得した情報を含む旅行情報を登録し、サイト上に前記利用者端末から閲覧可能に公開する機能を実行する。
【００２２】
請求項１３の本発明の仮想旅行プログラムは、前記旅行代理人端末から送られる前記旅行代理人が旅行先で出会った人に関し、その人への連絡先情報を含む各種の情報を旅行情報として登録し、前記利用者が前記人に関する旅行情報を閲覧し、必要に応じて前記連絡先情報に基づいて特定の人と通信することが可能なように前記仮想旅行サイト上に公開する機能を実行する。
【００２３】
請求項１４の本発明の仮想旅行プログラムは、前記旅行代理人が旅行先で出会った人に関する旅行情報として、メールアドレス及び利用者に対するコメントを含む情報を登録して公開する機能を実行する。
【００２４】
請求項１５の本発明の仮想旅行プログラムは、前記旅行代理人端末から送られる前記旅行情報を、前記利用者端末から旅行の何れの時点における旅行情報をも任意に参照できるように履歴として蓄積する機能を実行する。
【００２５】
【発明の実施の形態】
以下、本発明の好適な実施の形態について図面を参照して詳細に説明する。図１は、本発明の第１の実施の形態による仮想旅行システムのシステム構成を示すブロック図、図２はシステムの全体構成を示すブロック図である。
（実施の形態の構成）
図２を参照すると、本実施の形態による仮想旅行システムは、仮想旅行サイトサーバ１０と、利用代理人が旅行しながら携帯する旅行代理人端末２０と、仮想旅行の利用者の利用者端末３０から構成される。
【００２６】
仮想旅行サイトサーバ１０と旅行代理人端末２０及び利用者端末３０は、それぞれインターネット等の通信回線１０１、１０２によって接続され双方向の通信が可能となっている。旅行代理人端末２０は、無線通信によって通信回線１０１を介して仮想旅行サイトサーバ１０と接続される。
【００２７】
図１を参照すると、本発明の実施の形態による旅行代理人の行動を投票によって指示する仮想旅行サイトサーバ１０は、Ｗｅｂサーバとしての機能を有する情報処理装置によって実現されており、旅行代理人（旅行代理人端末２０）の現在の場所（位置）を特定する旅行代理人位置特定部１１０と、旅行代理人が旅行中に見聞している画像を取り込む旅行情報入力部１２０と、旅行代理人によって入力された旅行情報をＷｅｂ上で公開する旅行情報公開部１３０と、旅行代理人が次に行動する動作を設定する次動作選択肢設定部１４０と、旅行代理人の次の動作をＷｅｂで投票する次動作投票部１５０と、投票結果に基づいて旅行代理人の次の動作を決定して指示する次動作決定部１６０と、旅行代理人が旅行している場所の情報（画像と日時や他の情報）及びその他の旅行情報を記憶する旅行履歴蓄積部１７０と、旅行代理人が旅行先で出会った人に関する情報を旅行情報として登録する旅人情報登録部１８０を備えて構成されている。
【００２８】
旅行を行う旅行代理人が所持する旅行代理人端末２０は、通信回線１０１を介して仮想旅行サイトサーバ１０の旅行代理人位置特定部１００、旅行情報入力部１２０、次動作選択肢設定部１４０、旅行情報登録部１８０に接続されている。
【００２９】
また、利用者端末３０は、通信回線１０２を介して仮想旅行サイトサーバ１０の旅行情報公開部１３０、次動作投票部１５０に接続されている。
（実施の形態の動作）
次に、上記のように構成される本実施の形態による仮想旅行システムの動作について、図１と図２及び図３、図４を参照して詳細に説明する。図３は、本実施の形態による仮想旅行システムにおける誘う旅行サイトサーバ１０の動作を説明するフローチャートである。ここでは、旅行代理人が東京駅で電車を待っているものと仮定して説明を進める。
【００３０】
旅行代理人端末２０と無線等によってネットワーク接続されている仮想旅行サイトサーバ１０の旅行代理人位置特定部１１０により、旅行代理人が現在どこにいるかが判別される（ステップ２０１）。これは、旅行代理人端末２０からの位置情報が旅行代理人位置特定部１１０に送られることで実行される。
【００３１】
次に、旅行情報入力部１２０により、旅行代理人端末２０から電車を待っている画像と現在の状況などを説明する情報が旅行情報として取り込まれ（ステップ２０２）、旅行履歴蓄積部１７０に東京駅で電車を待っている状況を示す旅行情報が蓄積される（ステップ２０３）。
【００３２】
これら画像や情報は、旅行代理人端末２０から旅行代理人によって入力される。画像であれば、旅行代理人端末２０に接続されたデジタルカメラやＰＣカメラ等を利用して取得される。また、状況を説明する情報については、旅行代理人端末２０から旅行代理人が直接入力する。また、旅行代理人が旅行先で見聞した内容に関する情報も、上記と同様にその画像や説明が旅行情報として旅行代理人端末２０から入力される。これらの旅行情報は、旅行先において適宜旅行代理人によって入力され、旅行履歴蓄積部１７０に登録される。
【００３３】
そして、旅行情報公開部１３０によって、上記取り込まれた画像と説明情報に基づいて、東京駅で電車を待っているという旅行情報がＷｅｂ上に公開される（ステップ２０４）。利用者は、利用者端末３０上で旅行情報公開部１３０によって公開された旅行情報を表示させることで自らが旅行代理人の行動に従って旅行している雰囲気を味わうことができる。
【００３４】
ここで、旅行代理人は、旅行代理人端末２０から仮想旅行サイトサーバ１０の次動作選択肢設定部１４０にアクセスすることにより、次に行動する次動作内容を仮想旅行サイトサーバ１０に設定する（ステップ２０５）。
【００３５】
例えば、ここでは、「１.中央線に乗る／２.山手線に乗る／３.東海道線に乗る」のいずれかの行動をとるかの選択肢を設定したものとする。
【００３６】
次動作選択肢設定部１４０による次動作内容の設定においては、上記のようように、どの電車に乗るといった内容以外に、「何処に行くか」、「何を食べるか」、「何処に泊まるか」、「何を見るか」、「誰に話し掛けるか」等、旅行中の行動全般について旅行代理人が設定するものである。
【００３７】
各利用者が、利用者端末３０から仮想旅行サイトサーバ１０の次動作投票部１５０にアクセスして、上記のように旅行代理人によって設定された次動作内容について仮想旅行サイトサーバ１０上でＷｅｂ投票を行うことにより、仮想旅行サイトサーバ１０の次動作投票部１５０は利用者からの投票を受け付ける（ステップ２０６）。仮想旅行サイトを利用している複数の利用者から上記Ｗｅｂ投票に対する投票が集められる。
【００３８】
利用者からのＷｅｂ投票は、例えば図４に示すような、利用者端末３０に表示される投票画面３００に従って行なわれる。
【００３９】
Ｗｅｂ投票を開始して一定時間経過後、次動作決定部１６０は得票数の最も多い次行動内容を決定し、旅行代理人端末２０に対し得票数の最も多い行動をとるように指示を送る（ステップ２０７）。
【００４０】
例えば、「３.東海道線」が一番多くの票を獲得したとすれば、旅行代理人の旅行代理人端末２０には、「東海道線に乗る」といった指示が送られ、旅行代理人はその指示に従って東海道線に乗ることになる。
【００４１】
上記の例以外に、例えば、次に降りる駅、次に向かう場所や施設等について、選択肢を設定することにより、それらの投票結果に従って旅行代理人が行動することになる。
【００４２】
また、旅行代理人が旅先である人と出合った場合には、その旅先で出会った人と利用者を直接結びつけるように設定する。
【００４３】
例えば、旅行代理人は旅先で出会った人に対して、自己紹介、趣味、メールアドレスなどの種々の情報を聞き込み、それらの情報を旅行代理人端末２０に入力する。また、出会った人から仮想旅行サイトの利用者に対するコメントを聞いて入力してもよい。このコメントは、例えば、旅行代理人端末２０に文字情報として入力してもよいし、直接音声情報として入力してもよい。
【００４４】
それらの出会った人の情報やコメントの内容は、旅行代理人端末２０から仮想旅行サイトサーバ１０の旅行情報登録部１８０に入力され、旅行履歴蓄積部１７０に旅行情報として登録される（ステップ２０３）。
【００４５】
各利用者は、利用者端末３０を介して仮想旅行サイトサーバ１０の旅行履歴蓄積部１７０にアクセスしてそれらの旅行情報を受け取り、旅行代理人が出会った人のうち、趣味や仕事や好きなスポーツが同じ人、同じ興味を持った人等のうちコンタクトをとりたいと思う人がいた場合には、旅行履歴蓄積部１７０に登録されている電子メールを利用してその人に直接コンタクトをとることができる。
【００４６】
結果的に、各利用者は自ら実際に旅行しているかのように、旅行代理人が旅する世界の各国、旅先で出会う多種多様な人種や種族と交流することにより、友達を作ることができ、実際の旅行していると同じような醍醐味を味わうことができる。
【００４７】
旅行代理人は、その後もステップ２０１〜２０７を繰り返すことにより、利用者から投票結果によって逐次行動を決定して旅行を続ける。
【００４８】
なお、利用者は、仮想旅行サイトサーバ１０の旅行履歴蓄積部１７０に蓄積された過去の旅行情報を、旅行情報公開部１３０を用いて参照することも可能である。旅行履歴蓄積部１７０の過去の旅行情報を参照することにより、Ｗｅｂサイトの画面の前に一日中座っていなくても旅行代理人の一日の動きを把握でき、短時間で旅行の感覚を味わうことができる。
【００４９】
本発明の仮想旅行システムは、仮想旅行サイトサーバ１０の構成要素である各手段の機能をハードウェア的に実現することは勿論として、上記した各手段の機能を実行する仮想旅行プログラム（アプリケーション）５００をコンピュータ処理装置である仮想旅行サイトサーバ１０上で実行することで実現することができる。この仮想旅行プログラム５００は、磁気ディスク、半導体メモリその他の記録媒体に格納され、その記録媒体からコンピュータ処理装置にロードされ、コンピュータ処理装置の動作を制御することにより上述した各機能を実現する。
【００５０】
以上好ましい実施の形態及び実施例をあげて本発明を説明したが、本発明は必ずしも上記実施の形態及び実施例に限定されるものではなく、その技術的思想の範囲内において様々に変形して実施することができる。
【００５１】
【発明の効果】
上述したように本発明の仮想旅行システムによれば、以下に述べるような優れた効果が実現される。
【００５２】
まず、実在の旅行代理人がリアルタイムで旅行しているので、次に何が起こるかわからない。つまり、旅行代理人が次に何を目にするか、誰に出会うか、つまり、Ｗｅｂサイトにどのような画像が配信されるか利用者には全く予想がつかない。よって、利用者に対して、従来の仮想旅行システムでは実現し得なかった偶然性の提供が可能となり、実際に旅行をしているような醍醐味を味わうことができる。
【００５３】
また、旅行代理人が旅行先で出会った人々と直接交流することが可能となり、この点についても実際の旅行と同様の醍醐味を味わうことが可能となる。
【００５４】
さらに、旅行履歴蓄積機能を用いることで、Ｗｅｂサイトの画面の前に一日中座っていなくても旅行代理人の一日の動きを把握でき、短時間で旅行の感覚を味わうことができる。
【図面の簡単な説明】
【図１】本発明の実施の形態による仮想旅行システムの構成を示すブロック図である。
【図２】本発明の実施の形態による仮想旅行システムの全体構成を示すブロック図である。
【図３】本実施の形態による仮想旅行システムの動作を説明するフローチャートである。
【図４】本実施の形態による仮想旅行システムにおいて利用者端末上でＷｅｂ投票を行う画面例を示す図である。
【符号の説明】
１０：仮想旅行サイトサーバ
２０：旅行代理人端末
３０：利用者端末
１０１、１０２：通信回線
１１０：旅行代理人位置特定部
１２０：旅行情報入力部
１３０：旅行情報公開部
１４０：次動作選択肢設定部
１５０：次動作投票部
１６０：次動作決定部
１７０：旅行履歴蓄積部
１８０：旅行情報登録部
【図１】
2004213133.tif 000003
【図２】
2004213133.tif 000004
【図３】
2004213133.tif 000005
【図４】
2004213133.tif 000006